(57)【要約】【課題】構造体における接合部の評価漏れを低減することができる接合部評価システム、接合部評価方法、および接合部評価プログラムを提供することを目的とする。【解決手段】複数の部材が接合された構造体の接合部評価システムであって、構造体の解析モデル１０を所定数の領域に分割して有限要素解析を行うことにより、解析モデル１０における変位分布及び応力分布の少なくともいずれか一方の分布状態を解析する解析部と、解析モデル１０において各部材の接合部を抽出する抽出部と、接合部を含む領域をズーミング領域として設定するズーミング領域設定部と、分布状態に基づいてズーミング領域の境界条件を設定し、ズーミング領域を所定数の小領域に分割して有限要素解析を行うことにより、接合部におけるホットスポット応力を演算する演算部とを備える。【選択図】図３
2019207476.tif 000002
【特許請求の範囲】
【請求項１】
複数の部材が接合された構造体の接合部評価システムであって、
前記構造体の解析モデルを所定数の領域に分割して有限要素解析を行うことにより、前記解析モデルにおける変位分布及び応力分布の少なくともいずれか一方の分布状態を解析する解析部と、
前記解析モデルにおいて各前記部材の接合部を抽出する抽出部と、
前記接合部を含む前記領域をズーミング領域として設定するズーミング領域設定部と、
前記分布状態に基づいて前記ズーミング領域の境界条件を設定し、前記ズーミング領域を所定数の小領域に分割して有限要素解析を行うことにより、前記接合部におけるホットスポット応力を演算する演算部と、
を備える接合部評価システム。
【請求項２】
前記ズーミング領域設定部は、前記抽出部によって抽出された前記接合部のうち予め選択された前記接合部を含む前記領域を前記ズーミング領域として設定する請求項１に記載の接合部評価システム。
【請求項３】
前記演算部により演算された前記ホットスポット応力に基づいて、前記接合部に対する余寿命及び疲労強度の少なくともいずれか一方を評価する評価部を備える請求項１または２に記載の接合部評価システム。
【請求項４】
前記評価部における評価結果を前記解析モデルに対応して表示する表示部を備える請求項３に記載の接合部評価システム。
【請求項５】
前記抽出部は、前記解析モデルに予め設定された前記接合部に関する情報、及び前記解析モデルを構成する前記部材の接続境界位置の少なくともいずれか一方に基づいて、前記接合部を抽出する請求項１から４のいずれか１項に記載の接合部評価システム。
【請求項６】
複数の部材が接合された構造体の接合部評価方法であって、
前記構造体の解析モデルを所定数の領域に分割して有限要素解析を行うことにより、前記解析モデルにおける変位分布及び応力分布の少なくともいずれか一方の分布状態を解析する解析工程と、
前記解析モデルにおいて各前記部材の接合部を抽出する抽出工程と、
前記接合部を含む前記領域をズーミング領域として設定するズーミング領域設定工程と、
前記分布状態に基づいて前記ズーミング領域の境界条件を設定し、前記ズーミング領域を所定数の小領域に分割して有限要素解析を行うことにより、前記接合部におけるホットスポット応力を演算する演算工程と、
を含む接合部評価方法。
【請求項７】
複数の部材が接合された構造体の接合部評価プログラムであって、
前記構造体の解析モデルを所定数の領域に分割して有限要素解析を行うことにより、前記解析モデルにおける変位分布及び応力分布の少なくともいずれか一方の分布状態を解析する解析処理と、
前記解析モデルにおいて各前記部材の接合部を抽出する抽出処理と、
前記接合部を含む前記領域をズーミング領域として設定するズーミング領域設定処理と、
前記分布状態に基づいて前記ズーミング領域の境界条件を設定し、前記ズーミング領域を所定数の小領域に分割して有限要素解析を行うことにより、前記接合部におけるホットスポット応力を演算する演算処理と、
をコンピュータに実行させるための接合部評価プログラム。
【発明の詳細な説明】
【技術分野】
【０００１】
本発明は、接合部評価システム、接合部評価方法、および接合部評価プログラムに関するものである。
【背景技術】
【０００２】
一般的に、船舶等の構造体における疲労状態を評価する場合には、構造体の解析モデルを用いて有限要素解析を行っている（例えば、特許文献１）。有限要素解析は、構造体の解析モデルを要素（メッシュ）に分解し、近似的に解析を行う手法である。
【先行技術文献】
【特許文献】
【０００３】
【特許文献１】特開２０１６−１９４４３３号公報
【発明の概要】
【発明が解決しようとする課題】
【０００４】
しかしながら、特に荷重がかかりやすい構造体の接合部（例えば、溶接部等）を有限要素解析によって詳細に評価するためには、解析モデルをより細かく要素分解する必要がある。このため、構造体の全体解析モデルを詳細な要素に分割して有限要素解析を行う場合には、解析対象となる要素数が膨大となってしまい、解析を行うことが困難であった。すなわち、構造体全体に対して漏れなく接合部を評価することは困難であった。特に、構造体の大規模化に伴い、上記課題は顕在化している。
【０００５】
本発明は、このような事情に鑑みてなされたものであって、構造体における接合部の評価漏れを低減することができる接合部評価システム、接合部評価方法、および接合部評価プログラムを提供することを目的とする。
【課題を解決するための手段】
【０００６】
本発明の第１態様は、複数の部材が接合された構造体の接合部評価システムであって、前記構造体の解析モデルを所定数の領域に分割して有限要素解析を行うことにより、前記解析モデルにおける変位分布及び応力分布の少なくともいずれか一方の分布状態を解析する解析部と、前記解析モデルにおいて各前記部材の接合部を抽出する抽出部と、前記接合部を含む前記領域をズーミング領域として設定するズーミング領域設定部と、前記分布状態に基づいて前記ズーミング領域の境界条件を設定し、前記ズーミング領域を所定数の小領域に分割して有限要素解析を行うことにより、前記接合部におけるホットスポット応力を演算する演算部と、を備える接合部評価システムである。
【０００７】
上記のような構成によれば、解析モデルを用いて構造体の接合部を抽出し、接合部を含む領域をズーミング領域として、ズーミング領域を小領域に分割して有限要素解析を行うため、特に負荷がかかりやすい接合部に対して効率的に有限要素解析を行うことができる。すなわち、解析モデル全体を小領域に分割して有限要素解析を行うことなく、接合部を含むズーミング領域のみを小領域に分割して有限要素解析を行うため、接合部におけるホットスポット応力の演算処理の負担を抑制することができる。そしてさらに、演算処理の負担を抑制することができるため、構造体（解析モデル）の大規模化にも対応することができる。なお、ホットスポット応力とは、構造的な不連続性による局所的な応力上昇の影響を加味した応力である。
【０００８】
また、構造体を構成する各部材の接合部を抽出し、接合部を含む領域をズーミング領域として有限要素解析を行うため、例えば構造体の全接合部を対象として有限要素解析を実施することも可能となる。このため、構造体の接合部に対するホットスポット応力の演算を漏れなく実施することができ、構造体における接合部の評価漏れを低減することができる。すなわち、構造体の接合部をより精度よく評価することができ、信頼性を向上させることができる。
【０００９】
また、ズーミング領域の有限要素解析を実施するために、解析モデルにおける分布状態（変位分布及び応力分布の少なくともいずれか一方）を解析してズーミング領域の境界条件を設定するため、ズーミング領域の有限要素解析を実施することが可能となる。
【００１０】
上記接合部評価システムにおいて、前記ズーミング領域設定部は、前記抽出部によって抽出された前記接合部のうち予め選択された前記接合部を含む前記領域を前記ズーミング領域として設定することとしてもよい。
【００１１】
上記のような構成によれば、予め選択された接合部を含む領域をズーミング領域として設定するため、有限要素解析の解析対象となるズーミング領域の数を抑制して処理負担を軽減し、より効率的に有限要素解析を実施することが可能となる。なお、予め選択された接合部とは、例えば、接合部評価システムの使用者により評価対象として予め選択された接合部である。
【００１２】
上記接合部評価システムにおいて、前記演算部により演算された前記ホットスポット応力に基づいて、前記接合部に対する余寿命及び疲労強度の少なくともいずれか一方を評価する評価部を備えることとしてもよい。
【００１３】
上記のような構成によれば、接合部のホットスポット応力に基づいて余寿命及び疲労強度の少なくともいずれか一方を評価するため、構造体の各接合部の疲労状態等を容易に評価することができる。
【００１４】
上記接合部評価システムにおいて、前記評価部における評価結果を前記解析モデルに対応して表示する表示部を備えることとしてもよい。
【００１５】
上記のような構成によれば、解析モデルに対応して評価結果を表示することとしたため、例えば接合部評価システムの使用者等は、構造体における疲労状態等を容易に認識することができる。
【００１６】
上記接合部評価システムにおいて、前記抽出部は、前記解析モデルに予め設定された前記接合部に関する情報、及び前記解析モデルを構成する前記部材の接続境界位置の少なくともいずれか一方に基づいて、前記接合部を抽出することとしてもよい。
【００１７】
上記のような構成によれば、解析モデルに予め設定された接合部に関する情報、及び解析モデルを構成する部材の接続境界位置の少なくともいずれか一方を用いるため、構造体の接合部を自動的に抽出することが可能となる。ことができる。
【００１８】
本発明の第２態様は、複数の部材が接合された構造体の接合部評価方法であって、前記構造体の解析モデルを所定数の領域に分割して有限要素解析を行うことにより、前記解析モデルにおける変位分布及び応力分布の少なくともいずれか一方の分布状態を解析する解析工程と、前記解析モデルにおいて各前記部材の接合部を抽出する抽出工程と、前記接合部を含む前記領域をズーミング領域として設定するズーミング領域設定工程と、前記分布状態に基づいて前記ズーミング領域の境界条件を設定し、前記ズーミング領域を所定数の小領域に分割して有限要素解析を行うことにより、前記接合部におけるホットスポット応力を演算する演算工程と、を含む接合部評価方法である。
【００１９】
本発明の第３態様は、複数の部材が接合された構造体の接合部評価プログラムであって、前記構造体の解析モデルを所定数の領域に分割して有限要素解析を行うことにより、前記解析モデルにおける変位分布及び応力分布の少なくともいずれか一方の分布状態を解析する解析処理と、前記解析モデルにおいて各前記部材の接合部を抽出する抽出処理と、前記接合部を含む前記領域をズーミング領域として設定するズーミング領域設定処理と、前記分布状態に基づいて前記ズーミング領域の境界条件を設定し、前記ズーミング領域を所定数の小領域に分割して有限要素解析を行うことにより、前記接合部におけるホットスポット応力を演算する演算処理と、をコンピュータに実行させるための接合部評価プログラムである。
【発明の効果】
【００２０】
本発明によれば、構造体における接合部の評価漏れを低減することができることができるという効果を奏する。
【図面の簡単な説明】
【００２１】
【図１】本発明の一実施形態に係る接合部評価システムが適用される船舶の概略構成を示す図である。
【図２】本発明の一実施形態に係る接合部評価システムが備える機能を示した機能ブロック図である。
【図３】本発明の一実施形態に係る接合部評価システムにおける構造体の解析モデルを例示した図である。
【図４】本発明の一実施形態に係る接合部評価システムにおける構造体の解析モデルを例示した図である。
【図５】ホットスポット応力の算出例を示したグラフである。
【図６】本発明の一実施形態に係る接合部評価システムにおいて評価結果の表示例を示した図である。
【図７】本発明の一実施形態に係る接合部評価システムにおける接合部評価処理のフローチャートを示した図である。
【図８】構造解析・評価システムの概念図である。
【発明を実施するための形態】
【００２２】
以下に、本発明に係る接合部評価システム、接合部評価方法、および接合部評価プログラムの一実施形態について、図面を参照して説明する。
【００２３】
本実施形態に係る接合部評価システム２は、例えば、図８に示されるような構造体を総合的に評価する構造解析・評価システム１００に組み込まれる。図８は、構造解析・評価システム１００の機能構成を概念的に示した図である。構造体を解析して評価するためには、有限要素解析等の解析手法が用いられるが、構造体の大規模化や高度化（複雑化）、評価手法の多様化に伴って課題が生じている。具体的には、該課題として、（１）構造体の大規模化や高度化（複雑化）に伴って解析に要する時間及びコストが増大すること、（２）構造体の大規模化や高度化（複雑化）に伴って全体的な解析及び評価を行うことができず部分的（位置的、時間的、条件的）な解析となってしまうこと、（３）一般的に用いられる（例えば、市販の）大規模対応評価システムでは個々に評価手法が異なり、統一できないこと、（４）評価手法の多様化に伴って、評価手法の選択によって結果に誤差が生じてしまうこと、（５）評価手法の多様化に伴って、使用者の評価の標準化が困難であること、等が挙げられる。すなわち、構造解析・評価システム１００では、上記課題を解決して総合的に構造体を解析及び評価できるものである。
【００２４】
具体的には、構造解析・評価システム１００では、構造体の設計データ１０１等（例えば、ＣＡＤデータ）が入力されると、材料データベース１０７等のデータベースより構造体の解析に必要な情報（例えば、ヤング率等）を取得し、解析モデルを構築する（１０２）。そして、構築した解析モデルを解析すること（所定の解析コードによる解析を行うこと）によって（１０３）、例えば応力（応力分布等）を抽出する（１０４）。なお、応力以外の指標について解析を行うこととしてもよい。そして、抽出した応力や、材料データベース１０７等の各種データベースの情報（例えば、ＳＮ線図等）に基づいて、メタル強度評価や複合材強度評価、振動評価等の所定の評価項目に従って構造体を評価する（１０５）。なお、解析モデルの構築に対して、所定の最適化手法を用いて最適化（例えば、解析を効率的に行うための最適化等）を行ってもよい（１０６）。また、最適化処理としては、解析モデルによる解析結果を用いて最適化を行い、解析モデルを再構築（最適化）してもよいし、再構築した解析モデルによる解析を実行して再度最適化を行う等のループ処理を行うこととしてもよい。
【００２５】
すなわち、構造解析・評価システム１００は、解析モデルを統括的に解析及び評価できる総合的なプラットフォームとして構成されている。本実施形態における接合部評価システム２は、構造解析・評価システム１００を構築するための一部として組み込むことが可能とされている。具体的には、接合部評価システム２は、メタル強度評価として、構造体の接合部の評価（疲労状態等）を行う。なお、接合部評価システム２は、図８のような構造解析・評価システム１００に組み込まれてもよいし、構造体の接合部を評価するシステムとして個別に設けられてもよい。
【００２６】
本実施形態では、接合部評価システム２が適用される構造体として、船舶１を例として説明する。しかしながら、接合部評価システム２は、接合部を有する構造体であれば船舶１に限られず適用可能である。
【００２７】
図１は、本発明の一実施形態に係る接合部評価システム２が適用される船舶１（構造体）の概略構成を示す図である。図１に示すように、船舶１（構造体）は、複数の部材（構成要素等）が接合されることによって構成される。本実施形態では、船舶１（構造体）は、金属によって構成されているものとする。なお、図１に示す船舶１は、構造体の一例であり、接合される部材の種類、形、数等は図１に示す構成に限られない。
【００２８】
次に、本実施形態に係る接合部評価システム２について図面を参照して説明する。
接合部評価システム２は、複数の部材が接合された船舶１（構造体）に対して適用され、船舶１における接合部（例えば、溶接部等）を自動的に抽出する。そして、抽出した接合部に対して詳細な有限要素解析を行うことによって、接合部を評価する。
【００２９】
接合部評価システム２は、例えば、図示しないＣＰＵ（中央演算装置）、ＲＡＭ（Ｒａｎｄｏｍ  Ａｃｃｅｓｓ  Ｍｅｍｏｒｙ）等のメモリ、及びコンピュータ読み取り可能な記録媒体等から構成されている。後述の各種機能を実現するための一連の処理の過程は、プログラムの形式で記録媒体等に記録されており、このプログラムをＣＰＵがＲＡＭ等に読み出して、情報の加工・演算処理を実行することにより、後述の各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００３０】
図２は、本発明の一実施形態に係る接合部評価システム２が備える機能を示した機能ブロック図である。図１に示すように、本実施形態に係る接合部評価システム２は、記憶部３と、解析部４と、抽出部５と、ズーミング領域設定部６と、演算部７と、評価部８と、表示部９と、を主な構成として備えている。
【００３１】
記憶部３は、船舶１（構造体）の解析モデル１０を記憶している。具体的には、記憶部３は、図３に示すような船舶１の解析モデル１０を記憶している。図３に示す解析モデル１０は、図１に示す船舶１の解析モデル１０として記憶部３に格納されており、船舶１の３次元構造や、船舶１を構成する複数の部材に係る情報等がデータとして示されている。船舶１を構成する複数の部材に係る情報とは、船舶１における各部材の配置位置や、それぞれの部材の接続関係を示す情報等である。解析モデル１０は、後述する解析部４等へ読み出され、解析等に使用される。なお、本実施形態では、解析モデル１０は記憶部３に格納されることとしているが、接合部評価システム２とは別に設けられた装置（例えば、サーバ等）から通信手段を介して取得され、解析部４等で用いることとしてもよい。なお、この場合には、記憶部３を不要とすることができる。
【００３２】
解析部４は、船舶１（構造体）の解析モデル１０を所定数の領域に分割して有限要素解析を行うことにより、解析モデル１０における変位分布及び応力分布の少なくともいずれか一方の分布状態を解析する。本実施形態では、解析部４は解析モデル１０を用いて応力分布を解析する場合について説明するが、変位分布を解析する場合についても同様に適用可能である。解析部４は、記憶部３から船舶１の解析モデル１０を読み出し、近似的に解析を行うために解析モデル１０を所定数の領域（要素）に分割する。なお、分割する領域の種類については、ソリッド型（ソリッド要素）やシェル型（シェル要素）、三角型や四角型など適宜設定可能である。
【００３３】
解析部４は、分解した各領域に対して有限要素解析を適用することによって、領域毎に応力変化や変位等を計算し、近似的に解析モデル１０の応力分布（または変位分布）を解析する。なお、解析部４にて分割する領域（要素）は、後述する演算部７における小領域（小要素）よりも大きいものとする。すなわち、解析部４において分割する領域とは、船舶１の全体の解析モデル１０に対して有限要素解析を行うことが可能である程度の大きさに設定される。
【００３４】
抽出部５は、解析モデル１０において、各部材の接合部を抽出する。具体的には、抽出部５は、解析モデル１０に予め設定された接合部に関する情報、及び解析モデル１０を構成する部材の接続境界位置の少なくともいずれか一方に基づいて、接合部を抽出する。本実施形態では、解析モデル１０を構成する部材の接続境界位置から、船舶１の接合部を抽出する場合について説明する。抽出部５にて解析モデル１０の接合部を自動的に抽出することによって、解析モデル１０における接合部を漏れなく抽出することができる。
【００３５】
まず、抽出部５は、船舶１の解析モデル１０を読み出す。そして、解析モデル１０を構成する各部材を識別し、各部材が接続されている境界位置（接続境界位置）を接合部として抽出する。例えば、図４に示されるように、船舶１の解析モデル１０が、部材Ａと部材Ｂを含んで構成されている場合には、抽出部５は、部材Ａと部材Ｂを識別し、部材Ａと部材Ｂが接続されている接続境界位置Ｌを接合部として抽出する。すなわち、抽出部５は、船舶１の解析モデル１０から自動的に各部材の接続境界位置を判別し、接合部を抽出することができる。抽出部５は、船舶１を構成する全部材（構成要素）に対して接続境界位置を判別するため、解析モデル１０に対して漏れなく接合部を設定することができる。
【００３６】
なお、抽出部５が、解析モデル１０に予め設定された接合部に関する情報から船舶１の接合部を抽出する場合については、接合部に関する情報、すなわち、構成する部材が接続されている境界位置（接続境界位置）に関する情報が、予め解析モデル１０に設定されているものとする。すなわち、抽出部５は、解析モデル１０に含まれる接合部に関する情報に基づいて、船舶１を構成する各部材の接続境界位置を判別し、接合部として抽出する。なお、抽出部５は、解析モデル１０に予め設定された接合部に関する情報、及び解析モデル１０を構成する部材の接続境界位置のいずれか一方に基づいて、接合部を抽出することとしてもよいし、解析モデル１０に予め設定された接合部に関する情報、及び解析モデル１０を構成する部材の接続境界位置の両方を用いて接合部を抽出することとしてもよい。
【００３７】
ズーミング領域設定部６は、接合部を含む領域をズーミング領域として設定する。具体的には、ズーミング領域設定部６は、解析モデル１０において抽出された接合部に対してさらに詳細な解析を行うために、解析部４によって分割された領域であって、抽出部５によって抽出された接合部が含まれる該領域を、ズーミング領域として設定する。なお、ズーミング領域設定部６は、解析を行うために必要な境界条件が設定可能であれば、解析部４によって分割された領域をズーミング領域として設定しなくてもよい。
【００３８】
なお、ズーミング領域設定部６は、抽出部５によって抽出された接合部のうち予め選択された接合部を含む領域をズーミング領域として設定することとしてもよい。具体的には、例えば、接合部評価システム２の使用者によって、船舶１において接合部を評価したい領域（例えば、船舶１の船首を含む前部の領域等）が指定されている場合には、ズーミング領域設定部６は、抽出部５によって抽出された接合部のうち、指定された領域に含まれる接合部に対してズーミング領域として設定する。
【００３９】
演算部７は、解析部４にて解析した分布状態（変位分布や応力分布）に基づいてズーミング領域の境界条件を設定し、ズーミング領域を所定数の小領域にさらに分割して有限要素解析を行うことにより、接合部におけるホットスポット応力を演算する。具体的には、演算部７は、まず、ズーミング領域設定部６において設定された各ズーミング領域に対して、さらに有限要素解析を行うために、境界条件を設定する。境界条件とは、例えば、ズーミング領域の境界面における応力や変位の状態である。演算部７は、ズーミング領域を所定数の小領域にさらに分割し、設定した境界条件に基づいて小領域毎に解析を行う。そして、解析対象である小領域に含まれている接合部におけるホットスポット応力を算出する。なお、演算部７は、ズーミング領域設定部６において設定されたすべてのズーミング領域に対して解析を行い、ホットスポット応力を演算する。
【００４０】
なお、ホットスポット応力とは、構造的な不連続性による局所的な応力上昇の影響を加味した応力である。例えば、ホットスポット応力とは、公称応力と、接合部における面外変形による応力との和で示される。構造体における接合部では、溶接等によって複雑かつ多様な形状を持つが、ホットスポット応力を用いることで、統一的に評価することが可能となる。
【００４１】
例えば、演算部７では、各ズーミング領域に対して、ＳＲ２０２Ｂ法を適用することによって、接合部（溶接止端）におけるホットスポット応力を演算する。具体的には、ズーミング領域において、接合部（溶接止端）から板厚（要素板厚）ｔの０．５倍と１．５倍に位置における応力値を直線で結び、該直線から、接合部（溶接止端）の位置における応力値（構造的応力集中）をホットスポット応力として推定する。例えば、図５に示すように、接合部（溶接止端）の位置から０．５ｔおよび１．５ｔの位置における応力がそれぞれ、Ｐ１、Ｐ２である場合には、Ｐ１とＰ２を結んだ直線を延長し、接合部（溶接止端）における応力値（ホットスポット応力Ｐ０）を演算する。なお、ホットスポット応力の算出方法については、ＳＲ２０２Ｂ法に限らず、０．３ｔ法など他の手法を用いることも可能である。なお、ホットスポット応力以外の応力であっても、例えば、止端から特定距離の応力などを演算し、評価することとしてもよい。
【００４２】
評価部８は、演算部７により演算されたホットスポット応力に基づいて、接合部に対する余寿命及び疲労強度の少なくともいずれか一方を評価する。本実施形態では、評価部８は、接合部に対する余寿命を評価する場合について説明する。なお、接合部に対する疲労強度を評価する場合についても同様に適用可能である。
【００４３】
評価部８において評価される余寿命については、ホットスポット応力を用いた公知の評価手法が適用可能である。例えば、評価部８は、ホットスポット応力を用いた線形累積被害則に基づいて、接合部の余寿命を評価する。具体的には、評価部８は、演算したホットスポット応力（振幅）、発生頻度、およびＳ−Ｎ線図（疲労強度曲線）に基づいて余寿命を評価する。なお、評価部８における疲労強度の評価方法についても、Ｓ−Ｎ線図を用いた方法等、公知の方法を適宜使用可能である。
【００４４】
表示部９は、評価部８における評価結果を解析モデル１０に対応して表示する。具体的には、表示部９は、まず、表示用として、船舶１の解析モデル１０全体を演算部７において分割する小領域と同程度の小領域に分割する。そして、分割した解析モデル１０における接合部に対して、対応する評価結果を視認等可能なように表示する。例えば、評価部８にて接合部の余寿命を評価した場合には、余寿命がより少ない評価結果となった接合部の位置に対応する小領域を所定の表示方法（例えば、色や濃淡）で表示する。なお、余寿命自体（数字）を表示することとしてもよい。
【００４５】
一例として、評価部８における評価結果を解析モデル１０に対応して表示した例を図６に示す。図６では、解析モデル１０の表示結果における一部分を例示している。図６では、余寿命が短いほど濃淡が濃くなるように表示している。すなわち、位置Ｃにおける接合部において、最も余寿命が短い状態となっていることがわかる。接合部評価システム２の使用者等は、表示部９の表示結果を参照することで、船舶１における接合部の位置と余寿命の関係を容易に認識することが可能となる。
【００４６】
なお、評価部８にて接合部の疲労強度を評価した場合には、疲労強度の強弱に対応して、余寿命の場合と同様に、解析モデル１０に対して表示することとすればよい。なお、ホットスポット応力に関する表示を解析モデル１０に表示することとしてもよい。
【００４７】
次に、上述の接合部評価システム２による接合部評価処理について図７を参照して説明する。図７に示すフローは、例えば、接合部評価システム２の使用者等によって接合部評価処理の開始の指令が入力等された場合に実行される。
【００４８】
まず、船舶１の解析モデル１０を用いて、解析モデル１０全体に対して有限要素解析を行うことにより、解析モデル１０における応力分布状態を解析する（Ｓ１０１）。なお、分布状態として、変位分布を解析する場合には、Ｓ１０１にて、応力分布状態に替えてまたは加えて、変位分布状態を解析するものとする。
【００４９】
次に、解析モデル１０において、船舶１を構成する各部材（構成要素）の接合部を抽出する（Ｓ１０２）。
【００５０】
次に、解析モデル１０において、抽出された接合部を含む領域をズーミング領域として設定する（Ｓ１０３）。なお、例えば、接合部評価システム２の使用者によって、船舶１における接合部を評価したい領域が予め指定されている場合には、抽出部５によって抽出された接合部のうち、指定された領域に含まれる接合部に対してズーミング領域を設定することとする。
【００５１】
次に、設定されたズーミング領域に対して、解析された応力分布状態に基づいて境界条件を設定する（Ｓ１０４）。なお、境界条件は、ズーミング領域に対してさらに有限要素解析を行うために必要である。
【００５２】
次に、ズーミング領域を小領域にさらに分割して有限要素解析を行うことにより、接合部におけるホットスポット応力を演算する（Ｓ１０５）。
【００５３】
次に、演算されたホットスポット応力に基づいて、接合部に対する余寿命を評価する（Ｓ１０６）。なお、接合部に対する評価として、疲労強度を評価する場合には、Ｓ１０６にて、余寿命評価に替えてまたは加えて、疲労強度を評価するものとする。
【００５４】
次に、評価結果を解析モデル１０に対応して表示する（Ｓ１０７）。
【００５５】
なお、図７のフローにおける各処理は、順序等適宜変更可能である。例えば、Ｓ１０１とＳ１０２を並列処理することとしてもよい。
【００５６】
以上説明したように、本実施形態に係る接合部評価システム、接合部評価方法、および接合部評価プログラムによれば、解析モデル１０を用いて船舶１の接合部を抽出し、接合部を含む領域をズーミング領域として、ズーミング領域を小領域に分割して有限要素解析を行うため、特に負荷がかかりやすい接合部に対して効率的に有限要素解析を行うことができる。すなわち、解析モデル１０全体を小領域に分割して有限要素解析を行うことなく、接合部を含むズーミング領域のみを小領域に分割して有限要素解析を行うため、接合部におけるホットスポット応力の演算処理の負担を抑制することができる。そしてさらに、演算処理の負担を抑制することができるため、船舶１（解析モデル１０）の大規模化にも対応することができる。
【００５７】
また、船舶１を構成する各部材の接合部を抽出し、接合部を含む領域をズーミング領域として有限要素解析を行うため、例えば船舶１の全接合部を対象として有限要素解析を実施することも可能となる。このため、構造体の接合部に対するホットスポット応力の演算を漏れなく実施することができ、構造体における接合部の評価漏れを低減することができる。すなわち、船舶１の接合部をより精度よく評価することができるため、信頼性を向上させることができる。
【００５８】
また、ズーミング領域の有限要素解析を実施するために、解析モデル１０における分布状態（変位分布及び応力分布の少なくともいずれか一方）を解析してズーミング領域の境界条件を設定するため、ズーミング領域の有限要素解析を実施することが可能となる。
【００５９】
また、解析モデル１０に予め設定された接合部に関する情報、及び解析モデル１０を構成する部材の接続境界位置の少なくともいずれか一方を用いるため、船舶１の接合部を自動的に抽出することが可能となる。
【００６０】
また、予め選択された接合部を含む領域をズーミング領域として設定するため、有限要素解析の解析対象となるズーミング領域の数を抑制して処理負担を軽減し、より効率的に有限要素解析を実施することが可能となる。なお、予め選択された接合部とは、例えば、接合部評価システム２の使用者により評価対象として予め選択された接合部である。
【００６１】
また、接合部のホットスポット応力に基づいて余寿命及び疲労強度の少なくともいずれか一方を評価するため、船舶１の各接合部の疲労状態等を容易に評価することができる。また、解析モデル１０に対応して評価結果を表示することとしたため、例えば接合部評価システム２の使用者等は、船舶１における疲労状態等を容易に認識することができる。
【００６２】
本発明は、上述の実施形態のみに限定されるものではなく、発明の要旨を逸脱しない範囲において、種々変形実施が可能である。
【符号の説明】
【００６３】
１    ：船舶
２    ：接合部評価システム
３    ：記憶部
４    ：解析部
５    ：抽出部
６    ：ズーミング領域設定部
７    ：演算部
８    ：評価部
９    ：表示部
１０  ：解析モデル
１００  ：構造解析・評価システム
【図１】
2019207476.tif 000003
【図２】
2019207476.tif 000004
【図３】
2019207476.tif 000005
【図４】
2019207476.tif 000006
【図５】
2019207476.tif 000007
【図６】
2019207476.tif 000008
【図７】
2019207476.tif 000009
【図８】
2019207476.tif 000010